(57)【要約】【課題】既設のグレーチングに後付け可能でありながら、取付後は取り外しが困難なグレーチング用抑越流ガイドを提供する。【解決手段】ゴム製であって、グレーチング１０の格子窓Ｗに着脱可能に設置して用いられ、該格子窓Ｗを形成するメインプレート６の側面形状に対応した形状と自身の弾性力により該格子窓Ｗに保持され、その上面が該格子窓上面に生じ得る越流を抑制する形状をしており、使用状態のグレーチングの裏面側から嵌め込むべく、その上面側に比べ下面側がより幅広となっている。【選択図】図１
2008274742.tif 000002
【特許請求の範囲】
【請求項１】
ゴム製であって、グレーチングの格子窓に着脱可能に設置して用いられ、該格子窓を形成するメインプレートの側面形状に対応した形状と自身の弾性力により該格子窓に保持され、その上面が該格子窓上面に生じ得る越流を抑制する形状をしており、使用状態のグレーチングの裏面側から嵌め込むべく、その上面側に比べ下面側がより幅広となっていることを特徴とするグレーチング用抑越流ガイド。
【請求項２】
抑越流ガイドを、その高さが、該ガイドを設置すべきグレーチングの格子窓の高さに合わせて調節可能な加除式となっていることを特徴とする請求項１記載のグレーチング用抑越流ガイド。
【請求項３】
抑越流ガイドの側面に、格子窓を形成するメインプレートの側面に部分的に当接する当接突起を設けたことを特徴とする請求項１または２記載のグレーチング用抑越流ガイド。
【請求項４】
抑越流ガイドの下端に、嵌め込むべき格子窓を形成するメインプレートの下端面に当接する抜き取り防止部を設けたことを特徴とする請求項１から３のいずれか記載のグレーチング用抑越流ガイド。
【請求項５】
嵌め込むべき格子窓を形成するメインプレート分の間隔を置いて、抑越流ガイドを並べ、抜き取り防止部を連結して連結部としたことを特徴とする請求項４記載のグレーチング用抑越流ガイド。
【請求項６】
抜き取り防止部または連結部が、グレーチングと、グレーチング設置部分との間の緩衝手段としても用いられるように構成されたものであることを特徴とする請求項４または５記載のグレーチング用抑越流ガイド。
【請求項７】
抑越流ガイドの素材がリサイクルされたゴム素材であることを特徴とする請求項１から６のいずれか記載のグレーチング用抑越流ガイド。
【請求項８】
請求項１から７のいずれか記載の抑越流ガイドを用いたことを特徴とする抑越流グレーチング。
【発明の詳細な説明】
【技術分野】
【０００１】
本発明は、グレーチングの格子窓に着脱可能に設置して用いられ、該格子窓上面に生じ得る越流を抑制するグレーチング用抑越流ガイド、及び、このグレーチング用抑越流ガイドを備えた抑越流グレーチングに関する。
【背景技術】
【０００２】
舗装道路の側溝などの蓋として用いられるグレーチングは、断面Ｉ字形のメインプレートを立てた状態で平行に並べ、その上端側を直交方向にクロスバーで連結して、格子窓を形成し、メインプレートの両端部をエンドプレートで連結したもので、道路上の雨水や土砂がその格子窓を通過して側溝内に落ち込むようになっている。
【０００３】
ところが、豪雨などの際に、雨水が大量にグレーチング表面を覆うような状態となると、グレーチングが雨水で蓋をされた状態となって格子窓を通して雨水を引き込もうとする負圧が発生せず、雨水がグレーチングの格子窓を通過して側溝内に流れ込まず、グレーチングを通り越して流れていくという越流が生じる。
【０００４】
この越流の問題を解決するものとして、既設のグレーチングに後付け可能なグレーチング用抑越流ガイドが特許文献１において提案されている。
【０００５】
図９は、その本発明の背景技術となるグレーチング用抑越流ガイドを示すもので、（ａ）はその外観斜視図、（ｂ）はその抑越流ガイドをグレーチングに嵌め込んだ状態の要部断面図、（ｃ）は、その抑越流ガイドが取り付けられたグレーチングを設置した状態を示す斜視図である。
【０００６】
このグレーチング用抑越流ガイド２５は、薄鋼板を板金加工して製造されたもので、メインプレート２６、クロスバー２７、エンドプレート２８から構成されるグレーチング３０の格子窓Ｗに嵌め込んで用いられるものである。
【０００７】
抑越流ガイド２５は、グレーチング３０の上側に生じる越流を抑制するガイド面２１と、このガイド面２１を挟んでメインプレート２６に沿うように立ち上がる側壁２２と、この側壁２２の高さが最も高い部分（ガイド面２１がメインプレート２６の最下端に達する部分）に形成され、メインプレート２６の側面形状に対応した形状となっている凸部２３とを備えている。
【０００８】
ガイド面２１は、メインプレート２６の間に挟まれて、このメインプレート２６の延伸方向にメインプレート２６の上端から下端に達するような傾斜面となっており、この最上端側は、エンドプレート２８の上端に被される形状の掛け止め部２４となっている。
【０００９】
このような構成で、この抑越流ガイド２５によれば、設置済みのグレーチング３０の上方から、各格子窓Ｗに抑越流ガイド２５を嵌め込み、掛け止め部２４をエンドプレート２８の上端に被せ、凸部２３をメインプレート２６の側面形状に嵌まり込むようにすれば、このガイド２５のグレーチング３０への取付が完了する。
【００１０】
図９（ｃ）は、このようにして抑越流ガイド２５の取付が完了したグレーチング３０を示している。このグレーチング３０は、そのエンドプレート２８部分が、側溝Ｕのグレーチング受部ＵＡに載せて用いられ、越流を抑制することができる。
【００１１】
また、特許文献１には、その効果として、「取り付けが容易であり、かつ、しっかりと導水部材２０（「抑越流ガイド２５」に相当）をグレーチング蓋１（「グレーチング３０」に相当）に固定できる。」と記載されている。
【００１２】
しかしながら、この抑越流ガイド２５では、凸部２３とメインプレート２６の側面との嵌まり込みにより抑越流ガイド２５を取り外しにくくしているものの、材料である鋼板の変形に抗する力の範囲内のものであり、意図的な取り外しを防止できるものではなかった。
【００１３】
また、抑越流ガイド２５の他端である掛け止め部２４は、グレーチング３０のエンドプレート２８の上端に載せられているだけなので、この掛け止め部２４から取り外すようにすれば、あまり苦労することなく取り外しができるものであった。
【００１４】
この場合、せっかく取り付けされた抑越流ガイド２５が他者によって取り外されてしまうと、再度、新しいものを取り付けなければならず、取り外しを防ぐことができるような抑越流ガイドが要求されていた。
【００１５】
特に、公共事業として、一般道路の側溝に設置されたグレーチング３０に抑越流ガイド２５を大量に設置する場合には、この問題の解決はより重要度の大きいものであった。
【特許文献１】特開２００７−３１９４９号公報（図５、図６、図２）
【発明の開示】
【発明が解決しようとする課題】
【００１６】
本発明は、上記問題を改善しようとするもので、既設のグレーチングに後付け可能でありながら、取付後は取り外しが困難なグレーチング用抑越流ガイド、及び、この抑越流ガイドを備えた抑越流グレーチングを提供することを目的としている。
【課題を解決するための手段】
【００１７】
請求項１記載のグレーチング用抑越流ガイドは、ゴム製であって、グレーチングの格子窓に着脱可能に設置して用いられ、該格子窓を形成するメインプレートの側面形状に対応した形状と自身の弾性力により該格子窓に保持され、その上面が該格子窓上面に生じ得る越流を抑制する形状をしており、使用状態のグレーチングの裏面側から嵌め込むべく、その上面側に比べ下面側がより幅広となっていることを特徴とする。
【００１８】
請求項２記載のグレーチング用抑越流ガイドは、請求項１に従属し、抑越流ガイドを、その高さが、該ガイドを設置すべきグレーチングの格子窓の高さに合わせて調節可能な加除式となっていることを特徴とする。
【００１９】
請求項３記載のグレーチング用抑越流ガイドは、請求項１または２に従属し、抑越流ガイドの側面に、格子窓を形成するメインプレートの側面に部分的に当接する当接突起を設けたことを特徴とする。
【００２０】
請求項４記載のグレーチング用抑越流ガイドは、請求項１から３のいずれかに従属し、抑越流ガイドの下端に、嵌め込むべき格子窓を形成するメインプレートの下端面に当接する抜き取り防止部を設けたことを特徴とする。
【００２１】
請求項５記載のグレーチング用抑越流ガイドは、請求項４に従属し、嵌め込むべき格子窓を形成するメインプレート分の間隔を置いて、抑越流ガイドを並べ、抜き取り防止部を連結して連結部としたことを特徴とする。
【００２２】
請求項６記載のグレーチング用抑越流ガイドは、請求項４または５に従属し、抜き取り防止部または連結部が、グレーチングと、グレーチング設置部分との間の緩衝手段としても用いられるように構成されたものであることを特徴とする。
【００２３】
請求項７記載のグレーチング用抑越流ガイドは、請求項１から６のいずれかに従属し、抑越流ガイドの素材がリサイクルされたゴム素材であることを特徴とする。
【００２４】
請求項８記載の抑越流グレーチングは、請求項１から７のいずれか記載の抑越流ガイドを用いたことを特徴とする。
【発明の効果】
【００２５】
請求項１記載のグレーチング用抑越流ガイドによれば、ゴム製であって、グレーチングの格子窓に着脱可能に設置して用いられ、該格子窓を形成するメインプレートの側面形状に対応した形状と自身の弾性力により該格子窓に保持されるので、ゴムの弾性変形域を適度に利用することにより、目的に適った保持力で、グレーチングの格子窓に保持されるようにできる。
【００２６】
また、その上面が該格子窓上面に生じ得る越流を抑制する形状をしており、使用状態のグレーチングの裏面側から嵌め込むべく、その上面側に比べ下面側がより幅広となっているので、グレーチングの裏面側から入れやすく、表面側からは、取り外すのが困難なものとなっている。
【００２７】
つまり、この抑越流ガイドによれば、既設のグレーチングに後付け可能でありながら、取付後は取り外しが困難という効果を発揮する。
【００２８】
請求項２記載のグレーチング用抑越流ガイドによれば、請求項１の効果に加え、用抑越流ガイドをその高さが、該ガイドを設置すべきグレーチングの格子窓の高さに合わせて調節可能な加除式としたので、基本的な部品を用意しておけば、グレーチングの高さの種類に応じて多数のものを在庫しておく必要がなくなり、在庫費用及び在庫管理費用の節減ができ、納期即応性が高くなる。
【００２９】
請求項３記載のグレーチング用抑越流ガイドによれば、請求項１または２の効果に加え、抑越流ガイドの側面に、格子窓を形成するメインプレートの側面に部分的に当接する当接突起を設けたので、嵌め込み時はより嵌め込みやすく、かつ、いったん嵌め込んだ後は抜けにくくなる。
【００３０】
請求項４記載のグレーチング用抑越流ガイドによれば、請求項１から３のいずれかの効果に加え、抑越流ガイドの下端に、嵌め込むべき格子窓を形成するメインプレートの下端面に当接する抜き取り防止部を設けたので、グレーチングの上方からの抑越流ガイドの取り外しが非常に困難となる
請求項５記載のグレーチング用抑越流ガイドは、請求項４の効果に加え、嵌め込むべき格子窓を形成するメインプレート分の間隔を置いて、抑越流ガイドを並べ、抜き取り防止部を連結して連結部としたので、グレーチングの上方からの抑越流ガイドの取り外しがほとんど不可能となる。
【００３１】
請求項６記載のグレーチング用抑越流ガイドによれば、請求項４または５の効果に加え、抜き取り防止部または連結部が、グレーチングと、グレーチング設置部分との間の緩衝手段としても用いられるように構成されたものであるので、グレーチングと側溝との間のガタつき、騒音などを減少させる。
【００３２】
請求項７記載のグレーチング用抑越流ガイドによれば、請求項１から６のいずれかの効果に加え、抑越流ガイドの素材がリサイクルされたゴム素材であるので、ゴム資源の再利用を図ることができる。
【００３３】
請求項８記載の抑越流グレーチングによれば、請求項１から７のいずれか記載の抑越流ガイドを用いたので、これらの抑越流ガイドの効果をグレーチングとして発揮する。
【発明を実施するための最良の形態】
【００３４】
以下に、本発明の実施の形態（実施例）について、図面を用いて説明する。
【実施例１】
【００３５】
図１は、本発明のグレーチング用抑越流ガイドの一例を示すもので、（ａ）はその奥面図、（ｂ）はその側面図である。なお、図１（ａ）の奥面図というのは、図１（ｂ）のＡ矢視図に相当するものである。
【００３６】
このグレーチング用抑越流ガイド５は、ゴム製であって、グレーチング１０（図２参照）の格子窓Ｗに着脱可能に取り付けて用いられ、該格子窓Ｗを形成するメインプレート６の側面形状に対応した形状と自身の弾性力により該格子窓Ｗに保持される点を特徴とする。
【００３７】
加えて、この抑越流ガイド５は、その上面が該格子窓上面に生じ得る越流を抑制する形状のガイド面１となっており、使用状態のグレーチング１０の裏面側から嵌め込むべく、その上面側に比べ下面側がより幅広となっていることを特徴とする。以下、より詳しく説明する。
【００３８】
ガイド面１は、図８で説明した背景技術のグレーチング用抑越流ガイド２５のガイド面２１と同じ構成、作用効果を持つもので、本発明は、このガイド面１を特徴とするものではないので、詳しい説明を省略する。
【００３９】
この抑越流ガイド５は、まず、ゴム製とされ、自身の弾性力によりグレーチング１０のメインプレート６間に挟まれて保持されるように構成されている点を特徴とする。
【００４０】
したがって、この抑越流ガイド５は、ゴムの弾性変形域を適度に利用することにより、目的に適った保持力で、グレーチング１０の格子窓に保持されるようにできる。
【００４１】
ゴムの素材としては、弾性を有し成形性の良いものであれば、特に限定されないが、スチレンブタジエンゴム（ＳＢＲ）、イソプレンゴム（ＩＲ）、シス１・４ポリブタジエン合成ゴム（ＢＲ）、ブチルゴム（ＩＩＲ）  ニトリルゴム（ＮＢＲ）、クロロプレンゴム(ＣＲ)、塩素化ポリエチレン（ＣＰＥ）、水素化ニトリルゴム（ＨＮＢＲ）、ふっ素ゴム（ＦＫＭ，ＦＦＫＭ）、アクリルゴム（ＡＣＭ）、シリコーンゴム（ＶＭＱ，ＦＶＭＱ）、ウレタンゴム（ＡＵ，ＥＵ）、エチレンプロピレンゴム（ＥＰＭ，ＥＰＤＭ）、クロロスルフォン化ポリエチレン（ＣＳＭ）、エピクロルヒドリンゴム（ＣＯ，ＥＣＯ）、天然ゴム（ＮＲ）、ブタジエンゴム（ＢＲ）、多硫化ゴム（Ｔ）、ノルボルネンゴム（ＮＯＲ）、熱可塑性エラストマー（ＴＰＥ）などから適宜選択することができる。
【００４２】
グレーチング１０は、外部環境下で用いられるものであるので、この抑越流ガイド５のゴム素材も、その観点から、対候性、耐久性が良く、経年変化しにくいものが好適であり、上記例示の中では、エチレンプロピレンジエン三元共重合体（ＥＰＤＭ）、塩素化ポリエチレン（ＣＰＥ）などが好適であり、また、添加剤などにより、対候性、耐久性を強化したものであってこよい。
【００４３】
また、抑越流ガイド５は美感を優先するものではなく、また、強度も要求されるものではないので、リサイクルされたゴム素材を用いることができ、その場合には、ゴム資源の再利用を図ることができる。いはば、この抑越流ガイド５は、地球にやさしい技術ということができる。
【００４４】
この抑越流ガイド５は、ついで、それが挟まれるグレーチング１０の格子窓Ｗを構成するメインプレート６の側面形状（大半が、Ｉ字形状）に対応した側面形状となっている点を特徴とする。なお、図１（ａ）では、抑越流ガイド５を嵌め込むべきメインプレート６の断面形状を２点鎖線の想像線で示してこの点がより良く解るようにしている。
【００４５】
具体的には、抑越流ガイド５の側面５ａには、メインプレート６の凹んだ平面部６ｂに部分的に当接するように三つの当接突起２ａ、２ｂ、２ｃ（纏めて、符号２とする。）が設けられ、その内、上下の当接突起２ａ、２ｃが前記平面部分の上端の段差部６ａと下端の段差部６ｃに位置するように構成されている点で、メインプレート６のＩ字形の側面形状に対応したものとなっている。
【００４６】
このようにすると、上の当接突起２ａがメインプレート６の上の段差部６ａにひっかかって上方への移動を制限し、下の当接突起２ｃがメインプレート６の下の段差部６ｃにひっかかって下方への移動を制限し、全体として、抑越流ガイド５をより好適に、グレーチング１０に対して保持し、容易に取り外せないようにすることができる。
【００４７】
また、これらの突起２ａ、２ｂ、２ｃ（２）は、部分的に当接することで、より嵌め込みやすく、かつ、いったん嵌め込んだ後は抜けにくくなるという効果を発揮する。
【００４８】
更に、この抑越流ガイド５では、この三つの当接突起２ａ、２ｂ、２ｃの出っ張り程度が、メインプレート６の上側にある当接突起２ａから、順に下にある当接突起２ｂ、２ｃへと、大きくなっている点を特徴とする。
【００４９】
これは、換言すれば、この抑越流ガイド５では、使用状態のグレーチング１０の裏面側から嵌め込むべく、その側面５ａ間の幅が、その上面側に比べ下面側がより幅広くなっているということであり、それによって、グレーチング１０の裏面側から入れやすく、表面側からは、取り外すのが困難なものとなっているということである。
【００５０】
こうして、この抑越流ガイドによれば、既設のグレーチングに後付け可能でありながら、取付後は取り外しが困難である、という効果が発揮される。
【００５１】
図２は、図１のグレーチング用抑越流ガイドの使用方法を示すもので、（ａ）は抑越流ガイドの取付対象となるグレーチングが側溝に設置されている状態を示す斜視図、（ｂ）は（ａ）のグレーチングを側溝から外して裏返し、裏側から抑越流ガイドを嵌め入れようとしている状態を示す要部断面図、（ｃ）は抑越流ガイドがグレーチングのメインプレート間に嵌まり込んだ状態を示す要部断面図である。
【００５２】
図３は、図２に続いて、図１のグレーチング用抑越流ガイドの使用方法を示すもので、（ａ）は、図２（ｃ）の状態から、グレーチングを設置し戻すために表向けた状態の要部断面図、（ｂ）は、（ａ）のＢＢ断面図、（ｃ）は、抑越流ガイドが取り付けられたグレーチングを設置した状態を示す斜視図である。
【００５３】
なお、これより既に説明した部分と同じ部分については同じ符号を付して重複説明を省略する。
【００５４】
図２（ａ）に示すように、抑越流ガイド５の取付対象となるグレーチング１０は、通常、側溝Ｕのグレーチング受部ＵＡに載せられた状態で設置されている。
【００５５】
ここで、この図２（ａ）から解るように、グレーチング１０は、メインプレート６、クロスバー７、エンドプレート８を備えている。この構成は、背景技術と変わる所はないので、詳細な説明を省く。
【００５６】
抑越流ガイド５を取り付ける際には、この設置状態のグレーチング１０を側溝Ｕからいったん取り外し、裏返しにして、図２（ｂ）に示すように、グレーチング１０の裏面から、抑越流ガイド５の上側を下にして、つまり、当接突起２ａを下にして、抑越流ガイド５の格子窓Ｗに嵌め込んでいく。
【００５７】
この際、抑越流ガイド５の幅は上側ほど狭くなっているので、より小さな力ｆで、抑越流ガイド５を嵌め込むことができ、図２（ｃ）の状態となる。
【００５８】
図２（ｃ）は、裏向きの状態であるので、このグレーチング１０を側溝Ｕに設置するには、図３（ａ）のようにグレーチング１０をひっくり返して、元の状態に戻す必要がある。
【００５９】
この図３（ａ）状態で、抑越流ガイド５を取り外そうとしても、抑越流ガイド５は下方へ行くほど幅広に構成されているので、要する力はより大きい力Ｆであり、取り外しは困難である。
【００６０】
こうして、抑越流ガイド５を取り付けたグレーチング１０を、側溝Ｕに設置した状態が図３（ｃ）であり、このグレーチング１０は、図３（ｂ）からよく解るように、抑越流ガイド５のガイド面１は、越流が生じた際に、水をグレーチング１０の格子窓Ｗの内部へ引き入れるガイドとして作用するもので、抑越流効果を発揮する。
【００６１】
また、抑越流ガイド５は、後付けする代わりに、グレーチング１０の設置前、つまり、製造段階で、予めグレーチング１０に取り付けておくこともできる。
【００６２】
その場合、抑越流ガイド５を備えたグレーチング１０は、抑越流グレーチング１０と称することができるもので、上記抑越流ガイド５の効果をグレーチングとして発揮することができる。
【実施例２】
【００６３】
図４は、本発明のグレーチング用抑越流ガイドの他例を示すもので、（ａ）はその奥面図、（ｂ）はその側面図、（ｃ）はその抑越流ガイドをグレーチングに嵌め込んだ状態を示す要部断面図である。
【００６４】
このグレーチング用抑越流ガイド５Ａは、図１の抑越流ガイド５に比べ、側面に当接突起２がなく、代わりに、使用状態のグレーチングの裏面側から嵌め込むべく、その上面側に比べ下面側がより幅広となっている三つの傾斜側面５ｂ、５ｃ、５ｄとなっている点が異なっている。
【００６５】
また、下側の傾斜側面５ｃが、メインプレート６の下側の段差部６ｃと同じ向きの傾斜でより大きい傾斜となって、上の傾斜側面５ｂと下の傾斜側面５ｄとを連結するようになっている。
【００６６】
このようにすると、図４（ｃ）で解るように、グレーチング１０のメインプレート６間に嵌め込まれた抑越流ガイド５Ａは、下方へ行くほどより強力にメインプレート６で拘束され、特に、下の段差部６ｃと下側の傾斜側面５ｃとの係合で、抑越流ガイド５Ａをグレーチング１０から取り外すのが困難なようになっている。
【００６７】
こうして、この抑越流ガイド５Ａは、当接突起がないものでありながら、図１の抑越流ガイド５と同様の効果を発揮し、また、この抑越流ガイド５Ａを備えた抑越流グレーチング１０Ａは、このガイド５Ａの効果をグレーチングとして発揮する。
【実施例３】
【００６８】
図５は、本発明のグレーチング用抑越流ガイドの他例を示すもので、（ａ）はその奥面図、（ｂ）はその側面図、（ｃ）はその抑越流ガイドをグレーチングに嵌め込んだ状態を示す要部断面図である。
【００６９】
このグレーチング用抑越流ガイド５Ｂは、図１の抑越流ガイド５に比べ、抑越流ガイド５Ｂの下端に、嵌め込むべき格子窓を形成するメインプレート６の下端面６ｄに当接する抜き取り防止部３を設けた点が異なっている。
【００７０】
このようにすると、図５（ｃ）で解るように、当接突起２の効果に加え、この抑越流ガイド５Ｂを取り外そうとする場合には、抜き取り防止部３がその取り外しを強力に阻止するので、取り外しが非常に困難となる。
【００７１】
こうして、この抑越流ガイド５Ｂは、抑越流ガイドの取り外しが非常に困難になるという効果を発揮し、また、この抑越流ガイド５Ｂを備えた抑越流グレーチング１０Ｂは、このガイド５Ｂの効果をグレーチングとして発揮する。
【実施例４】
【００７２】
図６は、本発明のグレーチング用抑越流ガイドの他例を示すもので、（ａ）はその奥面図、（ｂ）はその側面図、（ｃ）はその抑越流ガイドをグレーチングに嵌め込んだ状態を示す要部断面図である。
【００７３】
このグレーチング用抑越流ガイド５Ｃは、図５の抑越流ガイド５Ｃに比べ、嵌め込むべき格子窓を形成するメインプレート６分の間隔を置いて、抑越流ガイド５Ｃを並べ、抜き取り防止部３を連結して連結部４とした点が異なっている。
【００７４】
このようにすると、図５（ｃ）で解るように、抜き取り防止部３単体の効果に加え、この抜き取り防止部３が連結されて連結部４となっているので、抑越流ガイド５Ｂを取り外そうとする場合には、連結部４がその取り外しを更に強力に阻止するので、取り外しがもはや出来なくなる。
【００７５】
また、図５（ｃ）で更に解るように、抑越流ガイド５Ｃを備えた抑越流グレーチング１０Ｃでは、この連結部４あるいは抜き取り防止部３は、側溝Ｕのグレーチング受部ＵＡとグレーチング１０Ｃとの間に介在して両者の間の緩衝手段としても機能するものである。
【００７６】
従って、抑越流ガイド５Ｃによれば、格別に緩衝手段を設けることなく、グレーチング１０Ｃと側溝Ｕとの間のガタつき、騒音などを減少させる緩衝手段としての効果も発揮することができる。
【００７７】
こうして、この抑越流ガイド５Ｃは、抑越流ガイドの取り外しがもはや不可能になるという効果と緩衝手段としての効果とを発揮し、また、この抑越流ガイド５Ｃを備えた抑越流グレーチング１０Ｃは、このガイド５Ｃの効果をグレーチングとして発揮する。
【実施例５】
【００７８】
図７は、本発明のグレーチング用抑越流ガイドの他例を示すもので、（ａ）はその奥面図、（ｂ）はその側面図、（ｃ）はその抑越流ガイドをグレーチングに嵌め込んだ状態を示す要部断面図である。
【００７９】
このグレーチング用抑越流ガイド５Ｄは、図４の抑越流ガイド５Ａに比べ、当接突起がない点、三つの傾斜側面５ｅ、５ｆ、５ｇがある点では共通するが、この三つの傾斜側面５ｅ、５ｆ、５ｇが上下に対象の形状であって、上下の向きで異ならない形状となっている点が異なっている。
【００８０】
つまり、上下の傾斜側面５ｅ、５ｇが上下に対象の傾きであって、それぞれメインプレート６の上下の段差部６ａ、６ｃに同じ傾きで当接する形状となっている。
【００８１】
このようにすると、図７（ｃ）で解るように、グレーチング１０Ｄの表面、裏面のどちらからでも、抑越流ガイド５Ｄを嵌め込むことができると共に、設置後は、取り外しが困難になるという効果を発揮する。
【００８２】
こうして、この抑越流ガイド５Ｄによれば、グレーチング１０Ｄの表面、裏面のどちらからでも、抑越流ガイド５Ｄを嵌め込むことができながら、取り外しもしにくい、という効果を発揮し、また、この抑越流ガイド５Ｄを備えた抑越流グレーチング１０Ｄは、このガイド５Ｄの効果をグレーチングとして発揮する。
【実施例６】
【００８３】
図８は、本発明のグレーチング用抑越流ガイドの他例を示すもので、（ａ）はその側面図、（ｂ）は底面図、（ｃ）は（ａ）、（ｂ）の組み付けに用いる組み付けネジの正面図、（ｄ）は（ｃ）の頭部図、（ｅ）は、（ａ）〜（ｃ）で組み付けられた抑越流ガイドの奥面図、（ｆ）は（ｅ）の高さをより小さくした抑越流ガイドの奥面図、（ｇ）は（ｅ）の高さをより高くした抑越流ガイドの奥面図である。
【００８４】
このグレーチング用抑越流ガイド５Ｅは、図１の抑越流ガイド５に比べ、その高さが、該ガイドを設置すべきグレーチングの格子窓の高さに合わせて調節可能な加除式となっていると点が異なっている。
【００８５】
その具体的な構成としては、図８（ａ）、（ｂ）に示すように、越流ガイド５Ｅを上下に複数の部分に分け、最小高さのグレーチングに合わせた高さの基本ガイド５ｈと、想定されるグレーチングの高さに合わせて加除させるそれぞれ高さの異なる追加ガイド５ｉ、５ｊとを備え、これらを、図８（ｃ）、（ｄ）に示す、組み付けネジ５ｍで上下に連結できるようにしているものである。
【００８６】
この場合、組み付けネジ５ｍとしては、先端に食い込み部を設けたタッピングネジを用いており、その場合には、ガイド側には、単に、必要に応じて一体成形により、この組み付けネジ５ｍに対応させた下孔５ｋを開けておくだけで、特に雌ネジを設けることなく、上下のガイド５ｈ、５ｉ、５ｊ等の連結をすることができる。
【００８７】
図８（ｅ）はこのような加除式の抑越流ガイド５Ｅを一般のグレーチング１０に用いる場合を示している。
【００８８】
図８（ｆ）は、加除式の抑越流ガイド５Ｅを、より高さの低いグレーチング１０Ａに用いる場合に、例えば、追加ガイド５ｉと５ｊｔｐを用いず、また、その結果として、組み付けネジ５ｍをも用いないようにした抑越流ガイド５ＥＡを示している。
【００８９】
図８（ｇ）は、加除式の抑越流ガイド５Ｅを、より高さの高いグレーチング１０Ｂに用いる場合に、例えば、更に、別の追加ガイド５ｎを用い、また、これに対応して、より長さの長い組み付けネジ５ｍ′を用いるようにしたものである。
【００９０】
このような加除式の抑越流ガイド５Ｅによれば、基本ガイド５ｈと、追加ガイド５ｊ〜５ｎを用意しておけば、基本のグレーチング１０Ｅ以外に種々の高さのグレーチング１０Ｆ、１０Ｇや、その他の高さのグレーチングにも対応することができ、いちいち高さに合わせた種々の抑越流ガイドをグレーチングの高さに合わせて多種類用意する必要がなくなり、在庫管理上、コスト上も有利となり、納期即応性も高まる。
【００９１】
また、このような加除式の抑越流ガイド５Ｅを備えたグレーチンング１０Ｅ〜１０Ｇによれば、そのガイドの効果をグレーチングとして発揮することができる。
【００９２】
なお、加除の方式は、ここに説明した組み付けネジによる方法以外に、相互に接着する方法（その際に基本ガイドと追加ガイドを嵌め込み合体方式としてもよい。）や、基本ガイド間と追加ガイドとの双方に相互に填まり込む突起部と嵌合孔とを設けておき、これに相互に離脱しないようにする方法であっても、また、他の相互に簡単に上下に連結する方法であってもよい。
【００９３】
また、組み付けネジとしては、上述のタッピングネジ以外に、通常の木ネジ（この場合、下穴不要とすることもできる。）、あるいは、通常の小ネジ（この場合も下穴だけで、雌ネジは不要とすることもできる。）であってもよい。更に、組み付けネジを用いる場合、ガイドがゴム制であるので、特に、緩み止めを設ける必要がない点も利点である。
【００９４】
なお、本発明のグレーチング用抑越流ガイド及び抑越流グレーチングは、上記の実施例に限定されない。また、特許請求の範囲に記載された範囲、実施例の範囲で、種々の変形例、組み合わせが可能である。
【産業上の利用可能性】
【００９５】
本発明のグレーチング用抑越流ガイド及び抑越流グレーチングは、既設のグレーチングに後付け可能でありながら、取付後は取り外しが困難であることが要請される産業分野に用いることができる。
【図面の簡単な説明】
【００９６】
【図１】本発明のグレーチング用抑越流ガイドの一例を示すもので、（ａ）はその奥面図、（ｂ）はその側面図
【図２】図１のグレーチング用抑越流ガイドの使用方法を示すもので、（ａ）は抑越流ガイドの取付対象となるグレーチングが側溝に設置されている状態を示す斜視図、（ｂ）は（ａ）のグレーチングを側溝から外して裏返し、裏側から抑越流ガイドを嵌め入れようとしている状態を示す要部断面図、（ｃ）は抑越流ガイドがグレーチングのメインプレート間に嵌まり込んだ状態を示す要部断面図
【図３】図３は、図２に続いて、図１のグレーチング用抑越流ガイドの使用方法を示すもので、（ａ）は、図２（ｃ）の状態から、グレーチングを設置し戻すために表向けた状態の要部断面図、（ｂ）は、（ａ）のＢＢ断面図、（ｃ）は、抑越流ガイドが取り付けられたグレーチングを設置した状態を示す斜視図
【図４】本発明のグレーチング用抑越流ガイドの他例を示すもので、（ａ）はその奥面図、（ｂ）はその側面図、（ｃ）はその抑越流ガイドをグレーチングに嵌め込んだ状態を示す要部断面図
【図５】本発明のグレーチング用抑越流ガイドの他例を示すもので、（ａ）はその奥面図、（ｂ）はその側面図、（ｃ）はその抑越流ガイドをグレーチングに嵌め込んだ状態を示す要部断面図
【図６】本発明のグレーチング用抑越流ガイドの他例を示すもので、（ａ）はその奥面図、（ｂ）はその側面図、（ｃ）はその抑越流ガイドをグレーチングに嵌め込んだ状態を示す要部断面図
【図７】本発明のグレーチング用抑越流ガイドの他例を示すもので、（ａ）はその奥面図、（ｂ）はその側面図、（ｃ）はその抑越流ガイドをグレーチングに嵌め込んだ状態を示す要部断面図
【図８】本発明のグレーチング用抑越流ガイドの他例を示すもので、（ａ）はその側面図、（ｂ）は底面図、（ｃ）は（ａ）、（ｂ）の組み付けに用いる組み付けネジの正面図、（ｄ）は（ｃ）の頭部図、（ｅ）は、（ａ）〜（ｃ）で組み付けられた抑越流ガイドの奥面図、（ｆ）は（ｅ）の高さをより小さくした抑越流ガイドの奥面図、（ｇ）は（ｅ）の高さをより高くした抑越流ガイドの奥面図
【図９】本発明の背景技術となるグレーチング用抑越流ガイドを示すもので、（ａ）はその外観斜視図、（ｂ）はその抑越流ガイドをグレーチングに嵌め込んだ状態の要部断面図、（ｃ）は、その抑越流ガイドが取り付けられたグレーチングを設置した状態を示す斜視図
【符号の説明】
【００９７】
１    ガイド面
２    当接突起
３    抜き取り防止部（緩衝手段）
４    連結部（緩衝手段）
５〜５Ｄ    グレーチング用抑越流ガイド
５ｉ  基本ガイド
５ｊ〜５ｎ    追加ガイド
５ｍ、５ｍ′  組み付けネジ
６〜６Ｂ    メインプレート
７    クロスバー
８    エンドプレート    
１０〜１０Ｇ    抑越流グレーチング
Ｗ    格子窓
Ｕ    側溝
ＵＡ  グレーチング受部
【図１】
2008274742.tif 000003
【図２】
2008274742.tif 000004
【図３】
2008274742.tif 000005
【図４】
2008274742.tif 000006
【図５】
2008274742.tif 000007
【図６】
2008274742.tif 000008
【図７】
2008274742.tif 000009
【図８】
2008274742.tif 000010
【図９】
2008274742.tif 000011